(57)【要約】      （修正有）【課題】安定化メカニズムを備えるコンタクトレンズ、ならびにコンタクトレンズの設計および製造方法を開示する。【解決手段】コンタクトレンズ１００は、様々な厚さを有する厚さプロファイルを有する中央光学部６の外側の内側周辺部５と外側周辺部４を備える。厚さプロファイルは、レシピエントの目に当てた際にコンタクトレンズを回転して正しい方向に向けるために回転力を提供する。厚さプロファイルは、レンズを横断して概して水平に延在する一定の厚さの実質的な曲線を含む。実質的に一定の厚さの曲線は、レシピエントのまぶたのうちの少なくとも１つの縁の接触線と一致し得る。【選択図】図１Ａ
2019061274.tif 000002
【特許請求の範囲】
【請求項１】
前面と、
後面と、
前記前面と前記後面を接合するエッジと
を備えるコンタクトレンズにおいて、
前記前面および前記後面は、中央光学部と、前記中央光学部の外側の内側周辺部とを形成し、
前記内側周辺部は、前記コンタクトレンズを回転して目標の向きに向けやすくするように回転力を提供するための様々な厚さを有する厚さプロファイルを有し、前記厚さプロファイルは、前記コンタクトレンズが前記目標の向きにある際に前記コンタクトレンズを横断して概して水平に延在する、実質的に一定の厚さの実質的な曲線を含んでおり、
前記コンタクトレンズの上半球の少なくとも１の実質的な曲線の前記厚さプロファイルは、前記コンタクトレンズの下半球の少なくとも１の実質的な曲線の厚さプロファイルと実質的に同じであり、
中央水平経線の厚さプロファイルが、前記コンタクトレンズの上半球の前記少なくとも１の実質的な曲線の厚さプロファイル及び前記コンタクトレンズの下半球の前記少なくとも１の実質的な曲線の厚さプロファイルよりも大きいことを特徴とするコンタクトレンズ。
【請求項２】
請求項１に記載のコンタクトレンズにおいて、前記内側周辺部と前記エッジとの間に延在する外側周辺部をさらに備え、前記外側周辺部は、前記内側周辺部の外側端と前記エッジとの間で円滑に推移する厚さプロファイルを有することを特徴とするコンタクトレンズ。
【請求項３】
請求項２に記載のコンタクトレンズにおいて、前記内側周辺部の直径が、最大で１５ｍｍであり、前記外側周辺部により前記レンズの直径が０．５ｍｍ〜２ｍｍ拡大することを特徴とするコンタクトレンズ。
【請求項４】
請求項１乃至３の何れか１項に記載のコンタクトレンズにおいて、前記中央光学部と前記内側周辺部との間に０．２〜０．５ｍｍの推移部を備え、前記推移部は、前記中央光学部の外側端と前記内側周辺部との間で円滑に推移する厚さプロファイルを有することを特徴とするコンタクトレンズ。
【請求項５】
請求項１乃至４の何れか１項に記載のコンタクトレンズにおいて、前記一定の厚さの曲線は、異なる回転角度における平面と前記コンタクトレンズの前記前面および／または前記後面との交差部分に実質的に沿って位置し、前記平面は、前記コンタクトレンズの後方に回転の実質的な固定軸を有することを特徴とするコンタクトレンズ。
【請求項６】
請求項１乃至５の何れか１項に記載のコンタクトレンズにおいて、前記前面および前記後面の少なくとも１つの面上では、前記中央光学部は円形であり、前記内側周辺部は環状であることを特徴とするコンタクトレンズ。
【請求項７】
請求項１乃至６の何れか１項に記載のコンタクトレンズにおいて、前記中央光学部は、乱視の矯正のための光学を含むことを特徴とするコンタクトレンズ。
【請求項８】
請求項１乃至７の何れか１項に記載のコンタクトレンズにおいて、前記厚さプロファイルは、プリズムバラストタイプのレンズを提供することを特徴とするコンタクトレンズ。
【請求項９】
請求項１乃至７の何れか１項に記載のコンタクトレンズにおいて、前記厚さプロファイルは、ダブルスラブオフタイプのレンズを提供することを特徴とするコンタクトレンズ。
【請求項１０】
請求項１乃至９の何れか１項に記載のコンタクトレンズにおいて、軟質の透過材料から実質的に形成されることを特徴とするコンタクトレンズ。
【請求項１１】
前面、後面およびエッジを備えるコンタクトレンズの製造のためのパラメータを生成する方法において、前記前面と前記後面との間で異なる厚さプロファイルを定義するステップを含み、前記厚さプロファイルは、
レシピエントの目に当てた際に前記コンタクトレンズを目標の回転の向きに向けやすくするように前記コンタクトレンズに対する回転力を提供するように適合され、
一定の厚さの非直線を含み、前記非直線は、前記コンタクトレンズが前記目標の向きにある際に前記コンタクトレンズを横断して概して水平に延在し、前記コンタクトレンズの実質的に同じ水平経線にわたる直線と比べて、前記コンタクトレンズを装着した前記レシピエントのまぶたのうちの少なくとも１つの縁の接触線とより厳密に一致し、
前記コンタクトレンズの上半球の少なくとも１の実質的な曲線の前記厚さプロファイルは、前記コンタクトレンズの下半球の少なくとも１の実質的な曲線の厚さプロファイルと実質的に同じであり、
中央水平経線の厚さプロファイルが、前記コンタクトレンズの上半球の前記少なくとも１の実質的な曲線の厚さプロファイル及び前記コンタクトレンズの下半球の前記少なくとも１の実質的な曲線の厚さプロファイルよりも大きいことを特徴とする方法。
【請求項１２】
請求項１１に記載の方法において、前記レシピエントの目は、目の集団、サブ集団またはグループからのデータに基づいて選択された名目上の目であることを特徴とする方法。
【請求項１３】
請求項１１または１２に記載の方法において、前記一定の厚さの非直線は、前記コンタクトレンズの少なくとも上半球にわたって提供されることを特徴とする方法。
【請求項１４】
請求項１１乃至１３の何れか１項に記載の方法において、
少なくとも中央光学部と、前記中央光学部の外側の内側周辺部とを定義するステップと、
前記厚さプロファイルを、前記中央光学部ではなく、前記内側周辺部に提供するステップと
をさらに含むことを特徴とする方法。
【請求項１５】
請求項１４に記載の方法において、
前記内側周辺部の周りの、前記エッジまで延在する外側周辺部を定義するステップと、
前記内側周辺部の外側端と前記エッジとの間の厚さにおける円滑な推移を提供する前記外側周辺部における厚さプロファイルを定義するステップと
をさらに含むことを特徴とする方法。
【請求項１６】
請求項１５に記載の方法において、前記内側周辺部の直径が、最大で１５ｍｍであり、前記外側周辺部により前記レンズの直径が０．５ｍｍ〜２ｍｍ拡大することを特徴とする方法。
【請求項１７】
コンタクトレンズを製造する方法において、前面と、後面と、前記前面と前記後面を接合するエッジとを有するコンタクトレンズボディを形成するステップを含み、前記コンタクトレンズは、少なくとも中央光学部と、前記中央光学部の外側の内側周辺部とを含み、前記内側周辺部内では、前記コンタクトレンズは、請求項１４に記載の方法に従って選択されたパラメータを有する厚さプロファイルを有することを特徴とする方法。
【請求項１８】
請求項１７に記載の方法において、前記コンタクトレンズは、前記内側周辺部の周りの、前記エッジまで延在する外側周辺部を含み、前記外側周辺部は、前記内側周辺部の外側端と前記エッジとの間の厚さにおける円滑な推移を提供する厚さプロファイルを有するように形成されることを特徴とする方法。
【請求項１９】
請求項１８に記載の方法において、前記内側周辺部の直径が、最大で１５ｍｍであり、前記外側周辺部により前記レンズの直径が０．５ｍｍ〜２ｍｍ拡大することを特徴とする方法。
【請求項２０】
請求項１７乃至１９の何れか１項に記載の方法において、前記中央光学部と前記内側周辺部との間の推移部を形成するステップをさらに含み、前記推移部は、前記中央光学部と前記内側周辺部との間の厚さにおける円滑な推移を提供することを特徴とする方法。
【請求項２１】
前面と、
後面と、
前記前面と前記後面を接合するエッジと
を備えるコンタクトレンズにおいて、
前記前面および前記後面は、中央光学部と、前記中央光学部の外側の内側周辺部とを形成し、
少なくとも前記内側周辺部内では、前記コンタクトレンズは、レシピエントの目に当てた際に前記コンタクトレンズを目標の回転の向きに向けやすくするように前記コンタクトレンズに対する回転力を提供するための厚さプロファイルを有し、前記厚さプロファイルは、一定の厚さの線を含み、前記一定の厚さの線は、前記コンタクトレンズが前記目標の向きにある際に前記コンタクトレンズを横断して概して水平に延在し、前記コンタクトレンズの実質的に同じ水平経線にわたって延在する直線と比べて、前記コンタクトレンズを装着した人間のまぶたの縁の接触線とより厳密に一致し、
前記コンタクトレンズの上半球の少なくとも１の実質的な曲線の前記厚さプロファイルは、前記コンタクトレンズの下半球の少なくとも１の実質的な曲線の厚さプロファイルと実質的に同じであり、
中央水平経線の厚さプロファイルが、前記コンタクトレンズの上半球の前記少なくとも１の実質的な曲線の厚さプロファイル及び前記コンタクトレンズの下半球の前記少なくとも１の実質的な曲線の厚さプロファイルよりも大きいことを特徴とするコンタクトレンズ。
【請求項２２】
請求項２１に記載のコンタクトレンズにおいて、前記厚さプロファイルは、一定の厚さの線を含み、前記一定の厚さの線は、前記コンタクトレンズが前記目標の向きにある際に前記コンタクトレンズを横断して概して水平に延在し、前記コンタクトレンズの実質的に同じ水平経線にわたって延在する直線と比べて、前記コンタクトレンズを装着した人間のまぶたの前記縁の前記接触線とより厳密に一致し、前記中央光学部の少なくとも上方の領域に存在することを特徴とするコンタクトレンズ。
【請求項２３】
請求項２１に記載のコンタクトレンズにおいて、前記厚さプロファイルは、一定の厚さの線を含み、前記一定の厚さの線は、前記コンタクトレンズが前記目標の向きにある際に前記コンタクトレンズを横断して概して水平に延在し、前記コンタクトレンズの実質的に同じ水平経線にわたって延在する直線と比べて、前記コンタクトレンズを装着した人間のまぶたの前記縁の前記接触線とより厳密に一致し、前記中央光学部の少なくとも上方および下方の領域に存在することを特徴とするコンタクトレンズ。
【請求項２４】
請求項２１に記載のコンタクトレンズにおいて、前記厚さプロファイルは、一定の厚さの線を含み、前記一定の厚さの線は、前記コンタクトレンズが前記目標の向きにある際に前記コンタクトレンズを横断して概して水平に延在し、前記コンタクトレンズの実質的に同じ水平経線にわたって延在する直線と比べて、前記コンタクトレンズを装着した人間のまぶたの前記縁の前記接触線とより厳密に一致し、前記中央光学部の上方、下方および側方の領域に存在することを特徴とするコンタクトレンズ。
【発明の詳細な説明】
【技術分野】
【０００１】
この開示の分野は、コンタクトレンズならびにコンタクトレンズの設計および製造方法に関する。より具体的には、この開示は、安定化メカニズムを備えるコンタクトレンズに関する。
【背景技術】
【０００２】
あるコンタクトレンズ設計には、回転安定化が必要とされる。一例は、レシピエントの目の乱視を矯正するように設計されたトーリックコンタクトレンズである。
【０００３】
安定化方法は、コンタクトレンズの周辺領域内でくさび形の厚さプロファイルを提供することである。レンズの周辺領域は、光学補正が適用される中央光学部の外側の領域である。いくつかの既存のレンズ設計では、垂直くさび状プロファイルは、水平経線を中心に対称であり、レンズは、中央水平経線から下方および上方に向けて薄くなる。他の既存のレンズ設計では、プリズムバラストの形態でくさび状プロファイルが提供され、厚さは、下方に向けて増加する。
【発明の概要】
【０００４】
安定化メカニズムを有するコンタクトレンズに対する継続的な需要があり、それ相応の改善されたまたは有用な代替の安定化メカニズムに対する関心が現在起こっている。
【０００５】
本明細書におけるいかなる従来技術への参照も、この従来技術がある管轄における一般的な共通の知識の一部を形成することまたはこの従来技術が当業者によって確認され、理解され、適切であると見なされると合理的に予想できることへの承認または何らかの形態の推奨と受け止められず、また、受け止めるべきではない。
【課題を解決するための手段】
【０００６】
回転安定化メカニズムを有するコンタクトレンズの実施形態が開示される。
【０００７】
ある実施形態では、コンタクトレンズは、前面と、後面と、前面と後面を接合するエッジとを備える。前面および後面は、中央光学部と、中央光学部の外側の周辺部とを形成する。周辺部は、コンタクトレンズを回転して目標の向きに向けやすくするように回転力を提供する（回転安定化メカニズム）ための様々な厚さを有する厚さプロファイルを有し得る。厚さプロファイルは、レンズが目標の向きにある際にレンズを横断して概して水平に延在する、一定の厚さ（または少なくとも実質的に一定の厚さ）の実質的な曲線を有し得る。
【０００８】
ある実施形態では、一定の厚さ（または少なくとも実質的に一定の厚さ）の実質的な曲線は、レシピエント、集団、サブ集団またはグループ平均のまぶたのうちの少なくとも１つの縁の接触線と実質的に一致し得る。
【０００９】
ある実施形態では、コンタクトレンズは、周辺部とエッジとの間に延在する外側周辺部をさらに備え得る。外側周辺部は、周辺部の外側端とエッジとの間で円滑に推移する厚さプロファイルを有し得る。
【００１０】
ある実施形態では、一定の厚さ（または少なくとも実質的に一定の厚さ）の線は、異なる回転角度における平面とコンタクトレンズの前面および／または後面との交差部分に実質的に沿って位置し、平面は、レンズの後方に回転の固定軸を有する。
【００１１】
ある実施形態では、コンタクトレンズは、光学部が回転非対称光学を含む（例えば、中央光学部が乱視の矯正のための光学を含む）、特定の応用を有し得る。
【００１２】
ある実施形態では、前面、後面およびエッジを備えるコンタクトレンズの製造のためのパラメータを生成する方法を提供することができる。方法は、前面と後面との間で異なる厚さプロファイルを定義するステップを含み得る。厚さプロファイルは、レシピエントの目に当てた際にコンタクトレンズを目標の回転の向きに向けやすくするようにコンタクトレンズに対する回転力を提供するように適合することができる。厚さプロファイルは、一定の厚さ（または少なくとも実質的に一定の厚さ）の非直線を含み得、非直線は、レンズが目標の向きにある際にレンズを横断して概して水平に延在し、レンズの実質的に同じ水平経線にわたる直線と比べて、コンタクトレンズを装着したレシピエントのまぶたのうちの少なくとも１つの縁の接触線とより厳密に一致する。
【００１３】
ある実施形態では、コンタクトレンズを製造する方法は、前面と、後面と、前面と後面を接合するエッジとを有するコンタクトレンズボディを形成するステップを含み得、コンタクトレンズは、少なくとも中央光学部と、中央光学部の外側の周辺部とを備える。周辺部内では、レンズは、先行段落で説明されるような方法を使用して選択されたパラメータを有する厚さプロファイルを有する。
【００１４】
ある実施形態では、コンタクトレンズは、周辺部の周りの外側周辺部を備え得、外側周辺部は、エッジまで延在し、方法は、周辺部の外側端とエッジとの間の厚さにおける円滑な推移（または少なくとも実質的に円滑な推移）を提供する厚さプロファイルを有するように外側周辺部を形成するステップを含む。
【００１５】
本明細書で説明される実施形態のさらなる態様は、例示として提供され、かつ、添付の図面を参照する、以下の説明から明らかになるであろう。
【図面の簡単な説明】
【００１６】
【図１Ａ】図１Ａは、プリズムバラストタイプの回転安定化メカニズムを備えるコンタクトレンズの実施形態の前面正投影の図表示である（原寸に比例せず）。
【図１Ｂ】図１Ｂは、図１Ａのコンタクトレンズの垂直中心を通る厚さプロファイルの実施形態を示す。
【図２Ａ】図２Ａは、ダブルスラブオフバラストタイプの回転安定化メカニズムを備えるコンタクトレンズの実施形態の前面正投影の図表示である（原寸に比例せず）。
【図２Ｂ】図２Ｂは、図２Ａのコンタクトレンズの垂直中心を通る厚さプロファイルの実施形態を示す。
【図３】図３は、コンタクトレンズの実施形態の側面正投影を示し、コンタクトレンズの厚さプロファイルを特定するための方法の実施形態を示す。
【図４】図４は、プリズムバラストタイプの回転安定化メカニズムを含むコンタクトレンズのレンズの実施形態の側面正投影を示す。
【図５Ａ】図５Ａは、実質的に一定の厚さの直線および曲線の組合せを有するコンタクトレンズの実施形態の前面正投影の図表示である（原寸に比例せず）。
【図５Ｂ】図５Ｂは、段階的形式の実質的に一定の厚さのいくつかの線を有するコンタクトレンズの実施形態の前面正投影の図表示である（原寸に比例せず）。
【発明を実施するための形態】
【００１７】
例示的な実施形態は、添付の図面を参照して、以下で説明する。説明に役立てるため、図１および２に対して、基準系は、描写されるコンタクトレンズを着用している、直立した、真っすぐ前を見ている人物に関連して定義され、それにより、ページから飛び出す方向は前方向を表し、ページの上方に向かう方向は垂直上方を表す。図１および２では、コンタクトレンズは、その所望の向きで示されている。
【００１８】
本明細書で説明されるある実施形態は、コンタクトレンズの回転安定化メカニズムに関する。ある実施形態では、回転安定化メカニズムの目的は、レシピエントの目に試着した際にレンズを特定の向きに向けやすくするように回転力を提供することであり得る。安定化メカニズムは、コンタクトレンズの厚さプロファイルとして形成することができ、厚さプロファイルは垂直方向に異なり、その結果、レンズが目標の向きにある際に、厚さプロファイルは、まぶたの縁に沿った（またはまぶたの縁にごく接近した）比較的大きな領域にわたる圧力の均一な（または実質的に均一な）広がりをもたらす。
【００１９】
圧力の均一な広がりを達成するため、コンタクトレンズは、曲線の水平な厚さプロファイルで製造することができる。曲線の厚さプロファイルは、直線の水平な厚さプロファイルよりも、レシピエントのまぶたの縁の接触線に酷似するものであり得る。まぶたの縁の形状は、開いた位置での静止時のまぶたを基準にして、瞬きする間の動作中のまぶたを基準にして、または、静止時のまぶたと動作中のまぶたの両方を基準にして定義することができる。例えば、ある実施形態では、レンズの上方および／または下方の領域は、静止時のまぶたに近似する曲線の水平な厚さプロファイルを有し得、より中央に近い領域は、瞬きする間のまぶたの形状（レンズの中央領域を通る際の）に近似する曲線の水平な厚さプロファイルを有し得る。レンズの形状は、曲線の水平な厚さプロファイル間で推移し得る（例えば、関連するまぶたの形状が瞬きする間に平らになる場合は曲線度を徐々に小さくすることによって）。
【００２０】
ある実施形態では、曲線の厚さプロファイルは、異なる回転角度における水平平面とコンタクトレンズの表面との交差線に沿って実質的に一定のレンズの厚さを提供することによって形成することができ、平面は、レンズの後方に回転の固定軸を有する。言い換えれば、厚さは、レンズの中央水平経線からの一定の角距離を定義する線に沿って比較的一定であり、角距離の決定点（回転軸）は、コンタクトレンズの後方にある。回転軸は、レシピエントの上まぶたに対して定義される回転軸に近似するように選択することができる。レシピエントは、特定の個人でも、概念上のレシピエント（例えば、集団、サブ集団または他の指定されたグループのレシピエントからのデータによって定義され、曲線の厚さプロファイルを定義するために使用される回転軸および／または他のパラメータは、このデータを基準にして選択される）でもあり得る。
【００２１】
図１は、本明細書で説明されるような厚さプロファイルを有するコンタクトレンズ１００の実施形態の図表示を示す。図１Ａは、コンタクトレンズ１００の前側の概観を示し、図１Ｂは、コンタクトレンズ１００の垂直中心を通る断面を示す。コンタクトレンズ１００は、ハードコンタクトレンズ（例えば、硬質ガス透過性ＲＧＰ）でも、ソフトコンタクトレンズ（例えば、ハイドロゲルまたはシリコーンハイドロゲル）でも、硬質および軟質材料から形成される組合せレンズ（例えば、軟質周辺シェルの中央に成形された硬質材料）でもあり得る。
【００２２】
コンタクトレンズは、凸状の前面１と、凹状の後面２と、前面１と後面２を接合するエッジ３とを備える。エッジ３の内側では異なる部分を提供することができ、一般に、異なる部分は異なる機能を実行する。ある実施形態では、３つの部分、すなわち、外側周辺部４、内側周辺部５および中央光学部６を提供することができる。中央光学部６は、任意の適切な寸法を有し得る。例えば、中央光学部６は、約３ｍｍ〜約８ｍｍの直径を有し得る。内側周辺部５は、最大でおよそ１５ｍｍの直径まで延在し得るが、本明細書で説明される曲線の水平な厚さプロファイルが内側周辺部５に提供される場合は、直立して真っすぐ前を見ている際にレシピエントに対して使用する間は少なくとも、レンズを正しい方向に向けるための有効な回転力を提供するのに十分な量だけ、中央光学部６より寸法が大きい。提供される場合、外側周辺部４を内側周辺部５の外側に提供し、約０．５ｍｍ〜約２ｍｍだけレンズの寸法を拡大することができる。
【００２３】
外側周辺部４は、エッジ３と内側周辺部５との間の円滑な推移を提供することができ、コンタクトレンズが均一のエッジ厚さを有することを可能にし得る。図１Ｂから最も良く分かるように、図１に示されるコンタクトレンズは、プリズムバラストタイプのレンズであり、回転安定化を提供するためにレンズの下部に向けて厚さが増加する。図１の実施形態に示されるように、外側周辺部４は、レンズの上部よりも下部の方が広い可能性がある。ある実施形態では、これにより、内側周辺部５の比較的厚い下部と周辺３との間のより大きな推移距離が提供され得る。ある実施形態では、外側周辺部４の外側端は、円滑なエッジ３を生み出すように湾曲させることができ、それにより、快適性の向上／炎症の緩和を行うことができる。
【００２４】
ある実施形態では、内側周辺部５は、目の上でのレンズの位置付けを支援することができる。以下でさらに詳細に説明されるように、ある実施形態では、主要な回転安定化力を提供するのはこの部分である。この部分におけるコンタクトレンズ１００の厚さは、回転安定化メカニズムに対する要件に従って異なる。一般に、この部分におけるレンズの厚さは、０．０８ｍｍ〜０．４ｍｍ（例えば、０．０８ｍｍ〜０．２ｍｍ、０．０８ｍｍ〜０．３ｍｍ、０．１ｍｍ〜０．２ｍｍ、０．１ｍｍ〜０．３ｍｍ、０．１ｍｍ〜０．４ｍｍ、０．１５ｍｍ〜０．２５ｍｍ、０．１５ｍｍ〜０．３ｍｍ、０．１５ｍｍ〜０．３５ｍｍまたは０．１５ｍｍ〜０．４ｍｍ）と異なり得る。ある実施形態では、内側周辺部の厚さは、約０．１ｍｍ、０．１５ｍｍ、０．２ｍｍ、０．２５ｍｍ、０．３ｍｍ、０．３５ｍｍまたは０．４ｍｍだけ異なり得る。炎症または不快感を引き起こし得る不連続性を回避するため、任意の所定の半分の経線に沿った内側周辺部５の外側端および外側周辺部６の内側端の厚さは等しくあり得、レンズ設計プロセスは、これらの部分間の推移における厚さのこの均等性を生み出すために制約を受ける可能性がある。あるいは、ある実施形態では、円滑な推移部は、部分間で定義することができる（例えば、半径方向幅が約０．２ｍｍ〜約０．５ｍｍの範囲内の推移部）。内側周辺部５と中央光学部６との間の推移に対しても同じ手法を取ることができる。
【００２５】
中央光学部６は、視力矯正光学を提供する。視力矯正光学は、レシピエントに対する要件に応じて、本明細書で説明される実施形態間で大幅に異なり得る。例えば、視力矯正光学は、近視、遠視、乱視、コマの任意の組合せを矯正すること、および／または、老眼用の多焦点レンズを提供するかもしくは近視の進行に対処するための刺激を提供することができる。安定化メカニズムは、視力矯正光学が回転非対称である際に、特定の有用性を有し得る。例えば、プリズムバラストレンズは、「プリズムフリー光学」タイプのものでも、プリズム光学部を有するものでもあり得る。前者は、本質的に平行な中央光学部６を通る垂直な厚さプロファイルを有し得、後者は、内側周辺部５のものと大体一致するように下方に向けて増加する厚さプロファイルを有する。
【００２６】
図１および２では、中央光学部６は円形またはディスク状で示されているが、形状は、前面および後面の何れかまたは両方に対して異なり得る。例えば、トーリックコンタクトレンズの場合、球面度数を含む前面光学部は円形であり得るが、円柱度数を有する後面光学部は楕円形の形状であり得る。
【００２７】
上記で説明されるように、コンタクトレンズが安定化メカニズムから恩恵を受けることができる典型的な状況は、視力矯正光学が特定の向きでより効果的である場合である。これが起こり得る一般的なシナリオは、乱視を矯正するためのトーリックレンズである。また、本明細書で説明されるように、図１に示される例示的なレンズに対する特定の向きは、ページに示されている通りのものである（すなわち、着用者の垂直上方は、ページの上方に向かう方向と合致すると想定する）。
【００２８】
図１Ａを具体的に参照すると、概して水平な破線は、一定の厚さ（または少なくとも実質的に一定の厚さ）の線を表す。Ｍ−Ｍとマーク付けされた中央水平経線に沿っては別として、一定の厚さの線は曲線である。レンズの上半球の一定の厚さの曲線はＡ−Ａとマーク付けされ、レンズの下半球の一定の厚さの曲線はＢ−Ｂとマーク付けされている。線Ａ−ＡおよびＢ−Ｂは異なる厚さを表し得るが、ある実施形態では、線Ａ−Ａのいくつかまたはすべてが対応する線Ｂ−Ｂと同じ厚さ（または実質的に同じ厚さ）を有し得ることが理解されよう。曲線は、一定の厚さの線が仮に直線であった場合と比べて、コンタクトレンズ１００の前面１において人間の着用者のまぶたの縁のプロファイルとより厳密に一致する。厳密に一致するプロファイルにより、まぶたとレンズとの間の圧力は、レンズが所望の向きまたは所望の向き近くにある場合に特に、より広く分布させることができる。本明細書で説明される例から理解されるように、概して水平な破線は、レンズの一般的な厚さプロファイルを表し、実施形態は、示されるものとは形状が異なる一定の厚さの線を有するようになるが、依然として、曲線によって形成されるかまたは特徴付けられる。
【００２９】
図１Ａでは、一定の厚さの線Ａ−Ａ、Ｂ−ＢおよびＭ−Ｍは、内側周辺部５を超えて延在し、外側周辺部４および中央光学部６も通過する。しかし、これは、線Ａ−ＡおよびＢ−Ｂの曲線形状をより良く示すためである。ある実施形態では、外側周辺部４および中央光学部６内では、レンズの厚さは、線Ａ−Ａ、Ｂ−ＢおよびＭ−Ｍに沿って一定ではない場合がある。代わりに、厚さは、内側周辺部５とエッジ３との間で推移するための外側周辺部４の場合や、この部分の必要な屈折特性による中央光学部４の場合は異なり得る。言い換えれば、ある実施形態では、一定の厚さの線は、内側周辺部５にのみ適用することができる。本明細書で論じられる図２は、内側周辺部には含まれるが、中央光学部６または外側周辺部４には含まれない、一定の厚さを表す破線を示す。
【００３０】
図２は、ある実施形態によるコンタクトレンズ２００を示す。コンタクトレンズ２００は、ダブルスラブオフタイプのコンタクトレンズであり、レンズの厚さは、レンズの上部および下部に向けて中央経線から離れるに従って低減する。コンタクトレンズ２００は、エッジ３、外側周辺部４、内側周辺部５および中央光学部６を含む。これらの部分は、コンタクトレンズ１００に対して本明細書で説明される部分と同様でも、コンタクトレンズ１００に対して本明細書で説明される部分の機能を実行することもできる。それに従って、部分に関する詳細な説明は繰り返さず、同様の特徴を表すために同様の参照番号が図１および２で使用される。
【００３１】
図２に示されるダブルスラブオフタイプのコンタクトレンズの実施形態は、水平中央経線にわたって実質的に対称的な厚さプロファイルを有する。それに従って、外側周辺部４は、コンタクトレンズ２００の周囲で実質的に一定の幅を有し、内側周辺部は、実質的にコンタクトレンズ２００の中心にある。ある実施形態は、例えば、ダブルスラブオフタイプのコンタクトレンズと何らかのプリズムバラストの組合せを提供するため、非対称的であり得る。
【００３２】
図３は、図１に示される実質的に一定の厚さの曲線Ａ−ＡおよびＢ−Ｂの特定方法の実施形態を示す。図２に示されるコンタクトレンズにも同じ特定方法を使用することができる。
【００３３】
図３は、コンタクトレンズ３００の実施形態の局所断面図を示す。コンタクトレンズ３００は、プリズムバラストタイプの回転安定化メカニズムを含む、図１に示されるタイプのものであり得る。示されるように、コンタクトレンズ３００は、エッジ３と、中央光学部６の外側の周辺部８とを有する。中央光学部６と周辺部８との間は、中央光学部６と周辺部８とを一体化するための実質的に円滑な第１の推移部１０である。同様に、周辺部とエッジとを一体化するための第２の推移部１２が周辺部８とエッジ３との間に提供される。
【００３４】
ある実施形態では、実質的に一定の厚さの線（例えば、図１からの線Ａ−ＡおよびＢ−Ｂ）は、平面Ｃとコンタクトレンズ３００との交差部分によって形成され、平面は、回転軸Ｄを中心に異なる角度位置で位置する。図３から分かるように、本発明の実施形態のレンズの厚さプロファイルは、厚さプロファイルが水平に実質的に一定であるレンズ（その場合、平面Ｃは互いに平行である）とは異なる。一実施形態では、開閉の際にまぶたが回転する軸の近似として、回転軸Ｄが固定される。眼球は完全な球形ではなく、まぶたは瞬きするたびに非常に大きな適合性によって伸縮および変形する軟組織である。それに従って、ある実施形態では、より正確な近似は、瞬きの動作と共に前面／後面および上方／下方の方向に回転軸Ｄを周回できるようにすることによって達成することができる。例えば、レシピエント／レシピエントグループの異なるアイラインの位置における曲線を測定し、例えば、まぶたの形状と実質的に一定の厚さの線との間の距離の二乗の和を最小化するという決定を通じるような最良適合分析技法を使用して許容可能な適合を提供するように回転軸Ｄを調整することができる。曲線を作成するため、レシピエントまたはレシピエントグループに対する様々な代替の適合技法を使用できることや、代わりに、レンズの製造が可能な精度に従ってこれとは異なるまぶたの縁およびその動きの実際の測定値を使用してレンズを製造できることが理解されよう。回転軸は、一般に、コンタクトレンズの約５〜１４ｍｍ（例えば、５ｍｍ、６ｍｍ、７ｍｍ、８ｍｍ、９ｍｍ、１０ｍｍ、１１ｍｍ、１２ｍｍ、１３ｍｍ、１４ｍｍ。ただし、回転軸の位置は整数間隔に制約されないことが理解されよう）後方に位置し得る。
【００３５】
したがって、ある実施形態では、厚さプロファイルの定義は、周辺部８ならびに曲線Ａ−ＡおよびＢ−Ｂにわたって必要な全厚さ変化の組合せによって定義することができる。ある実施形態では、厚さは、垂直方向に実質的に線形に増加し得る。ある実施形態では、厚さの増加率は、例えば、コンタクトレンズの比較的より厚いベースを提供するため、変更することができる。図３を参照して上記で説明されるように、曲線は、平面とコンタクトレンズの表面との交差部分によって定義することも、直線である一定の厚さの線を有するレンズと比べて圧力が達成される領域を増加させる他の技法によって定義することもできる。例えば、他の実施形態では、平面Ｃの回転軸の位置は固定されない場合がある。ある実施形態では、回転軸の位置は、水平中央経線の上方の一定の厚さの線と水平中央経線の下方の一定の厚さの線との間で異なり得る。この実施形態では、回転軸の位置は、特定のレシピエントまたは集団、サブ集団もしくは他のグループの平均としてのものの上まぶたと下まぶたとの間のプロファイルの違いに関して選択することができる。ある実施形態では、曲線は、実際のまぶたの境界の測定値を考慮して定義することができ、測定値は、例えば、まぶたを閉じるビデオを取ること（任意選択で、本発明に従って設計されたコンタクトレンズが目の上に位置する際のものと同様の目の表面の位置になるように参照コンタクトレンズを着用する際に）によって捕捉することができる。次いで、ビデオを分析して、瞬きする間の複数の異なる位置におけるまぶたの境界の形状を特定し、その境界と一致するものとして一定の厚さの線を定義することができる。また、参照コンタクトレンズは、当てた際にレンズが位置しそうな角膜上の位置のおおよその基準を提供するため、一定の厚さの曲線を有するレンズに含まれることが意図されるタイプのバラストも含み得る。
【００３６】
ある実施形態では、厚さプロファイルの定義が決定され、光学部６の屈折特性から生じる形状要件が決定または受信された時点で、従来の技法を使用してレンズを製造することができる。これらの技法は、機械旋盤加工および両面または片面成形を含む。上記で説明される一定の厚さの曲線は、例えば、製造公差または他の因子に起因する、何らかの変形例を含み得るが、一般に、線は、レンズの同じ部分を横断する水平な直線と比べて、コンタクトレンズを装着したレシピエントのまぶたの一方または両方の縁の接触線とより厳密に一致する。
【００３７】
図４は、図３を参照して本明細書で説明される方法の実施形態を示す。レンズ３００は、薄い領域３０１、３０３と、中央の中間の厚さの領域３０５、３０７と、厚い領域３０９、３１１とを含む、異なる様々な厚さを有する領域を備える。図３に示される実施形態と同様に、図４のレンズ３００は、エッジ３と、周辺部とエッジ３との間の推移部３１２とを有する。
【００３８】
厚さプロファイルは、等高線３２１、３２３、３２５、３２７、３２９によって示される。上記で述べられるように、レンズを縦断して垂直に最も薄いものから最も厚いものへの一般的な変化がある（目標の向きと呼ぶ）。ある実施形態では、等高線３２１、３２３、３２５、３２７のひざ状のものによって示されるように、エッジ３に近づくにつれて、レンズの後部における一般的なレンズの厚さの低減もある。いくつかの実施形態では、レンズは、推移部３１２の境界において実質的に同じ厚さを有し得、例えば、着用者の快適性を向上することができる。図４の特定の実施形態に示されるように、この厚さは、レンズの最も薄い領域に提供される厚さに実質的に等しくあり得る。
【００３９】
領域３０１、３０３、３０５、３０７、３０９、３１１の各々におけるレンズ３００の厚さは、各領域全体を通じて一定ではないが、隣接する領域との漸進的で円滑な推移を含む。したがって、個々の領域３０１、３０３、３０５、３０７、３０９、３１１の各々は、特定の厚さを示さないが、代わりに、様々な厚さを示す。さらに、レンズ３００の断面の厚さが断面３３１によって示され、断面３３１は、最も厚い領域３１１の周りで最も厚く、最も薄い領域３０１の周りで最も薄い。
【００４０】
ある実施形態では、実質的に一定の厚さの曲線を少なくとも部分的に含む等高線は、その曲線の全体的な特性を保持しながら、平面Ｃからある程度逸れる可能性がある。このことは、図４では、例えば、等高線３２１および３２９によって示される。示されるように、等高線の一般角と平面Ｃの一般角との間には相違があり得る。
【００４１】
図５Ａおよび５Ｂにはさらなる実施形態が示される。これらの実施形態は、図２に示される実施形態の特徴のいくつかを含み、同様の特徴は、同じ参照番号を含む。
【００４２】
図５Ａを参照すると、その違いは、中央領域の周囲の一定の厚さの線である。図５Ａに示されるように、中央経線Ｍ−Ｍにおける実質的に一定の厚さの実質的な直線に加えて、中央経線Ｍ−Ｍの上方および下方の近位領域におけるレンズの厚さも実質的に線形である。このことは、例えば、中央経線Ｍ−Ｍの上方の実質的に一定の厚さの直線Ｃ−Ｃおよび中央経線の下方の実質的に一定の厚さの直線Ｄ−Ｄによって示される。
【００４３】
中央経線Ｍ−Ｍの上方および下方の近位領域を超える位置では、実質的に一定の厚さの線は、線Ａ−ＡおよびＢ−Ｂなどの曲線である。これらの線は、図２を参照して説明されるものと同様である。近位領域は、中央光学部６の約５０％〜１００％（例えば、中央光学部６の５０％、６０％、７０％、８０％または９０％）を占めることができる。
【００４４】
図５Ｂを参照すると、実質的に一定の厚さの線のいくつかは、中央光学部６の約５０％〜１００％を占める、上記で説明される近位領域における段階的形式を含む。例えば、中央経線Ｍ−Ｍの上方の近位領域における線Ｅ−Ｅを参照すると、線は、中央光学部６の近位の位置では実質的な直線区分５２１を有し、それに続いて、外側周辺部４の近位の位置では偏位区分５２３を有する。偏位区分は、例えば、曲線形状または実質的な直線として特徴付けることができる。同様に、中央経線Ｍ−Ｍの下方の近位領域に位置する線Ｆ−Ｆは、実質的な直線区分５２５を有し、それに続いて、偏位区分５２７を有する。全体的に見ると、線Ｅ−ＥおよびＦ−Ｆは、依然として、一定の厚さの直線と比べて、静止時および／または瞬きする間のまぶたの形状に密接に従うことができる。さらに、さらなる実施形態では、光学部６の外側のレンズの上方および下方の領域も、段階的形式の実質的に一定の厚さの線によって特徴付けることができる。
【００４５】
中央経線Ｍ−Ｍの上方および下方の近位領域を超える位置では、実質的に一定の厚さの線は、線Ａ−ＡおよびＢ−Ｂなどの曲線である。中央経線Ｍ−Ｍにおける実質的に一定の厚さの線は、実質的な直線である。これらの線Ａ−Ａ、Ｂ−ＢおよびＭ−Ｍは、図２を参照して上記で説明されるものと同様である。
【００４６】
前述の説明で説明されるものに対するさらなる代替の実施形態を形成できることが理解されよう。例えば、部分間の境界の位置を変更することができ、部分の形状は、一般的な円形／環状とは異なり得、一定の厚さの曲線を有する厚さプロファイルは、外側周辺部４および内側周辺部５（その場合、レンズは、エッジ３への、例えば約０．２〜０．５ｍｍの狭い推移部を含み得る）を通じて延在し得る。いくつかの実施形態では、特定のハードコンタクトレンズでは、外側周辺部４を省略することができる。外側周辺部４が省略される場合、レンズは、内側周辺部５の外側端に、エッジ３への狭い推移部１２を含み得る。ある実施形態では、曲線の厚さプロファイルは、レンズの１つの領域に提供することができる（別の領域には提供しない）。例えば、一定の厚さの曲線は、レンズ上の上まぶたが移動する領域にわたって提供することができる。下まぶたが移動する領域では、例えば、一定の厚さの実質的な直線などの異なる手法を使用することができる。同様に、上半球および下半球の一部分には、本明細書で説明される一定の厚さの曲線を提供することができ、残りの部分は、異なる厚さプロファイルを含む。例えば、上半球および／または下半球の約２０％、約２５％、約３０％、約３５％または約４０％が一定の厚さの曲線を含み得る。一定の厚さの曲線を有する部分は、レンズの上方および下方のエッジに向けて提供することができる（レンズが所望の向きにある際）。
【００４７】
それに加えて、いくつかのレシピエント／レシピエントグループの場合、有効なピボット軸は、レンズの垂直中心に収まらずに、描かれる平行軸の下方または上方に収まる場合がある。この場合、図３に示される回転軸Ｄは、中央経線Ｍ−Ｍの上向きまたは下向きの合成シフトで相応にシフトすることができる。さらに、特定のレシピエント／レシピエントグループの場合、有効なピボット軸は、レンズの中心軸に垂直であり得る（すなわち、レンズの左側のピボットポイントは、右側のものとは異なる位置を有する）。これらの変形例では、レンズは非対称になり、左右のバージョンを製造して取りそろえなければならなくなる。特定に役立てるため、例えば、異なる色合いまたはレンズの一方もしくは両方のエッジ近くへの顕著なしるし付けを通じて、左右のレンズをマーク付けすることができる。
【００４８】
また、この明細書で開示および定義される実施形態は、テキストもしくは図面で述べられるかまたはテキストもしくは図面から明らかである個々の特徴のうちの２つ以上のすべての代替の組合せまで拡大されることも理解されよう。これらの異なる組合せのすべては、本発明の様々な代替の態様を構成する。
【図１Ａ】
2019061274.tif 000003
【図１Ｂ】
2019061274.tif 000004
【図２Ａ】
2019061274.tif 000005
【図２Ｂ】
2019061274.tif 000006
【図３】
2019061274.tif 000007
【図４】
2019061274.tif 000008
【図５Ａ】
2019061274.tif 000009
【図５Ｂ】
2019061274.tif 000010